(57)【要約】【課題】先端側の一部が重なるようにハウジングの開口を被覆する一対の被覆部材を備えた光コネクタ装置において、嵌合されたコネクタを引き離したとき、先端側の一部が重なるように当該一対の被覆部材が戻るようにする。【解決手段】第一光コネクタ１０に対し第二光コネクタ２０が嵌合されたときには、当該第二光コネクタ２０に押されることによって、第一被覆部材１２および第二被覆部材１３が光ファイバ１０ｆ側に向かって互いに離れる方向に変位した開放位置に位置する光コネクタ装置であって、被覆位置において、第一被覆部材１２の先端側の一部は第二被覆部材１３よりも光ファイバ１０ｆ側に位置し、嵌合状態にある第一光コネクタ１０と第二光コネクタ２０を光軸方向に引き離すとき、第二被覆部材１３の方が第一被覆部材１２よりも先に開放位置から被覆位置に変位するように構成されている。【選択図】図１
2015011084.tif 000002
【特許請求の範囲】
【請求項１】
内側に光ファイバの先端が位置するハウジングの開口側に取り付けられた第一被覆部材および第二被覆部材を有する第一光コネクタと、
この第一光コネクタに嵌合可能な第二光コネクタと、
を備え、
前記第一光コネクタに対し前記第二光コネクタが嵌合されていないときには、前記第一被覆部材および前記第二被覆部材が前記光ファイバの先端を覆う被覆位置に位置する一方、
前記第一光コネクタに対し前記第二光コネクタが嵌合されたときには、当該第二光コネクタに押されることによって、前記第一被覆部材および前記第二被覆部材が前記光ファイバ側に向かって互いに離れる方向に変位した開放位置に位置する光コネクタ装置であって、
前記被覆位置において、前記第一被覆部材の先端側の一部は前記第二被覆部材よりも前記光ファイバ側に位置し、
嵌合状態にある前記第一光コネクタと前記第二光コネクタを光軸方向に引き離すとき、前記第二被覆部材の方が前記第一被覆部材よりも先に前記開放位置から前記被覆位置に変位するように構成されていることを特徴とする光コネクタ装置。
【請求項２】
嵌合状態にある前記第一光コネクタと前記第二光コネクタを光軸方向に引き離すとき、当該第二光コネクタが、前記第一被覆部材よりも第二被覆部材から先に離れるように構成されていることを特徴とする請求項１に記載の光コネクタ装置。
【請求項３】
前記第二光コネクタにおける前記第一被覆部材に接触する部位は、前記第二光コネクタにおける前記第二被覆部材に接触する部位よりも先端側に位置することを特徴とする請求項２に記載の光コネクタ装置。
【請求項４】
前記第一被覆部材および前記第二被覆部材が前記被覆位置に位置するとき、前記第一被覆部材における前記第二光コネクタに接触する部位は、前記第二被覆部材の前記第二光コネクタに接触する部位よりも先端側に位置することを特徴とすることを特徴とする請求項２に記載の光コネクタ装置。
【請求項５】
前記第一被覆部材および前記第二被覆部材が前記被覆位置に位置するとき、光軸に直交する平面に対する前記第一被覆部材の傾斜角度は、当該平面に対する前記第二被覆部材の傾斜角度よりも小さいことを特徴とする請求項２に記載の光コネクタ装置。
【請求項６】
前記第二光コネクタにおける前記第二被覆部材に接触する部位は、幅方向内側から幅方向外側にかけて基端側に向かうように傾斜した形状であることを特徴とする請求項１に記載の光コネクタ装置。
【請求項７】
前記開放位置に位置する両被覆部材の前記第二光コネクタに接触する部位は、曲面形状であることを特徴とする請求項１から請求項６のいずれか一項に記載の光コネクタ装置。
【発明の詳細な説明】
【技術分野】
【０００１】
本発明は、ハウジング内への塵などの進入を防止する一対の被覆部材を備えた光コネクタ装置に関する。
【背景技術】
【０００２】
このような光コネクタ装置としては、下記特許文献１に記載のものが公知である。コネクタが嵌合していないときには、光ファイバが一対の被覆部材（シャッタ）で覆われ、コネクタが嵌合したときには、嵌合した相手方コネクタによって被覆部材が押され、当該被覆部材が開放するというものである。
【先行技術文献】
【特許文献】
【０００３】
【特許文献１】特開２００５−９９３４５号公報
【発明の概要】
【発明が解決しようとする課題】
【０００４】
この光コネクタ装置では、コネクタが嵌合していない状態において、一方の被覆部材と他方の被覆部材の先端側の一部が重なるように構成されている（特許文献１の図２等参照）。このようにすれば、両被覆部材間の隙間から塵などが進入しにくくなる。
【０００５】
しかし、特許文献１に記載の光コネクタ装置では、嵌合していたコネクタを引き離した際、一方の被覆部材と他方の被覆部材が被覆位置に戻るタイミングが同じになり、被覆部材の先端同士が突き合うような状態となって、一方の被覆部材と他方の被覆部材の先端側の一部が重なる状態に戻らなくなるおそれがある。つまり、嵌合されたコネクタを引き離したとき、両被覆部材間の隙間から塵などが進入しやすい状態となるおそれがある。
【０００６】
本発明が解決しようとする課題は、先端側の一部が重なるようにハウジングの開口を被覆する一対の被覆部材を備えた光コネクタ装置において、嵌合されたコネクタを引き離したとき、先端側の一部が重なるように当該一対の被覆部材が戻るようにすることにある。
【課題を解決するための手段】
【０００７】
上記課題を解決するために本発明にかかる光コネクタ装置は、内側に光ファイバの先端が位置するハウジングの開口側に取り付けられた第一被覆部材および第二被覆部材を有する第一光コネクタと、この第一光コネクタに嵌合可能な第二光コネクタと、を備え、前記第一光コネクタに対し前記第二光コネクタが嵌合されていないときには、前記第一被覆部材および前記第二被覆部材が前記光ファイバの先端を覆う被覆位置に位置する一方、前記第一光コネクタに対し前記第二光コネクタが嵌合されたときには、当該第二光コネクタに押されることによって、前記第一被覆部材および前記第二被覆部材が前記光ファイバ側に向かって互いに離れる方向に変位した開放位置に位置する光コネクタ装置であって、前記被覆位置において、前記第一被覆部材の先端側の一部は前記第二被覆部材よりも前記光ファイバ側に位置し、嵌合状態にある前記第一光コネクタと前記第二光コネクタを光軸方向に引き離すとき、前記第二被覆部材の方が前記第一被覆部材よりも先に前記開放位置から前記被覆位置に変位するように構成されていることを特徴とする。
【０００８】
嵌合状態にある前記第一光コネクタと前記第二光コネクタを光軸方向に引き離すとき、当該第二光コネクタが、前記第一被覆部材よりも第二被覆部材から先に離れるように構成されているとよい。
【０００９】
具体的には、前記第二光コネクタにおける前記第一被覆部材に接触する部位は、前記第二光コネクタにおける前記第二被覆部材に接触する部位よりも先端側に位置するようにするとよい。
【００１０】
また、前記第一被覆部材および前記第二被覆部材が前記被覆位置に位置するとき、前記第一被覆部材における前記第二光コネクタに接触する部位は、前記第二被覆部材の前記第二光コネクタに接触する部位よりも先端側に位置するようにするとよい。
【００１１】
また、前記第一被覆部材および前記第二被覆部材が前記被覆位置に位置するとき、光軸に直交する平面に対する前記第一被覆部材の傾斜角度は、当該平面に対する前記第二被覆部材の傾斜角度よりも小さいとよい。
【００１２】
前記第二光コネクタにおける前記第二被覆部材に接触する部位は、幅方向内側から幅方向外側にかけて基端側に向かうように傾斜した形状であるとよい。
【００１３】
前記開放位置に位置する両被覆部材の前記第二光コネクタに接触する部位は、曲面形状であるとよい。
【発明の効果】
【００１４】
本発明にかかる光コネクタ装置は、嵌合状態にある第一光コネクタと第二光コネクタを光軸方向に引き離すとき、第二被覆部材の方が第一被覆部材よりも先に被覆位置に変位する（戻る）。つまり、一旦嵌合させたコネクタを非嵌合状態としても、第一被覆部材の先端側の一部が第二被覆部材よりも光ファイバ側に位置した状態（第一被覆部材の先端側の一部が第二被覆部材と重なった状態）になる。すなわち、両被覆部材は、塵などが進入しにくい態様に戻る。
【図面の簡単な説明】
【００１５】
【図１】第一実施例にかかる光コネクタ装置の断面を模式的に示した図であって、（ａ）は非嵌合状態を、（ｂ）は嵌合状態から光コネクタ同士を所定量引き離した状態（嵌合途中の状態）を、（ｃ）は嵌合状態を示した図である。
【図２】第二実施例にかかる光コネクタ装置の断面を模式的に示した図であって、（ａ）は非嵌合状態を、（ｂ）は嵌合状態から光コネクタ同士を所定量引き離した状態（嵌合途中の状態）を、（ｃ）は嵌合状態を示した図である。
【図３】第三実施例にかかる光コネクタ装置の断面を模式的に示した図であって、（ａ）は非嵌合状態を、（ｂ）は嵌合状態から光コネクタ同士を所定量引き離した状態（嵌合途中の状態）を、（ｃ）は嵌合状態を示した図である。
【図４】第四実施例にかかる光コネクタ装置の断面を模式的に示した図であって、（ａ）は非嵌合状態を、（ｂ）は嵌合状態から光コネクタ同士を所定量引き離した状態（嵌合途中の状態）を、（ｃ）は嵌合状態を示した図である。
【図５】被覆部材の先端部分が曲面形状に形成された例を示した図である。
【図６】被覆部材が第一ハウジングの開口に沿うように設けられた例を示した図である。
【発明を実施するための形態】
【００１６】
以下、本発明の実施形態について図面を参照しつつ詳細に説明する。なお、以下の説明における前後方向とはコネクタの嵌合方向（光軸Ｘ方向）であって図示したＸ軸方向をいい、幅方向とは前後方向に直交する方向であって図示したＹ軸方向をいうものとする。また、先端（側）とは、前後方向における相手方コネクタ側をいい、基端（側）とは、その反対側をいうものとする。
【００１７】
本実施形態にかかる光コネクタ装置１は、第一光コネクタ１０およびこの第一光コネクタ１０に嵌合可能な第二光コネクタ２０を備える。
【００１８】
第一光コネクタ１０は、第一ハウジング１１および一対の被覆部材（第一被覆部材１２および第二被覆部材１３）を有する。第一ハウジング１１には、第一フェルール部１１１および第一フード部１１２が設けられている。第一フェルール部１１１には、前後方向に沿う貫通孔が形成されており、当該貫通孔に光ケーブルの光ファイバ１０ｆが挿入されている。光ファイバ１０ｆは、その先端が第一フェルール部１１１の先端から露出するように当該第一フェルール部１１１に固定されている。第一フード部１１２は、第一フェルール部１１１の先端よりもさらに先端側に突出した部分である。第一フェルール部１１１の先端、すなわち光ファイバ１０ｆの先端は、第一フード部１１２に囲繞されている。
【００１９】
第一フード部１１２の幅方向両側の壁には、一対の被覆部材が固定されている。両被覆部材は、弾性変形する（ばね性を有する）材料（例えば金属の板材）で形成されている。第一フード部１１２（第一ハウジング１１）に対する各被覆部材の固定方法は特定の方法に限定されない。本実施形態では、各被覆部材の基端側の部分が、第一フード部１１２内にインサートされることによって固定されている（以下の説明において、単に被覆部材というときはこの基端側の部分を除いた部分をいうものとする）。これにより、第一フード部１１２における幅方向の一方側からは第一被覆部材１２が幅方向内側かつ光ファイバ１０ｆ側（第一ハウジング１１の内側）に向かって突出し、他方側からは第二被覆部材１３が幅方向内側かつ光ファイバ１０ｆ側（第一ハウジング１１の内側）に向かって突出した構成となり、第二光コネクタ２０が嵌合していない状態においては両被覆部材によって第一ハウジング１１の開口１１３が覆われる（当該被覆部材の位置を被覆位置と称する）。
【００２０】
本実施形態では、第一ハウジング１１の開口１１３を覆う被覆位置に位置する両被覆部材は、次のような関係にある。第一被覆部材１２の先端側の一部は、第二被覆部材１３（第二被覆部材１３の全部）よりも光ファイバ１０ｆ側に位置する（図１〜図４、図６参照）。つまり、前後方向（光軸Ｘ方向）から見ると、第一被覆部材１２の先端側の一部と第二被覆部材１３の先端側の一部は重なっている。このような構成とすることにより、両被覆部材の先端縁同士を突き合わせたような構成と比較して、第一被覆部材１２と第二被覆部材１３との間の隙間から塵などが第一ハウジング１１内に入りにくくなる。
【００２１】
第一光コネクタ１０に嵌合可能な第二光コネクタ２０は、第二フェルール部２１１、第二フード部２１２、およびスリーブ部２１３が形成された第二ハウジング２１を有する。第二フェルール部２１１には、前後方向に沿う貫通孔が形成されており、当該貫通孔に光ケーブルの光ファイバ２０ｆが挿入されている。光ファイバ２０ｆは、その先端が第二フェルール部２１１の先端から露出するように当該第二フェルール部２１１に固定されている。
【００２２】
スリーブ部２１３は、円筒形状に形成された部分である。スリーブ部２１３は、第二フェルール部２１１の先端よりもさらに先端側に突出している。つまり、第二フェルール部２１１は、スリーブ部２１３に囲繞されている。このスリーブ部２１３は、それよりさらに先端側に突出した部分を有する第二フード部２１２に囲繞されている。第一光コネクタ１０に対し第二光コネクタ２０が嵌合されると、スリーブ部２１３内で第一光コネクタ１０の第一フェルール部１１１の先端と第二光コネクタ２０の第二フェルール部２１１の先端が突き合わされる。これにより、第一光コネクタ１０に接続された光ファイバ１０ｆの先端と、第二光コネクタ２０に接続された光ファイバ２０ｆの先端が突き合わされ、両者が光学的に接続される。
【００２３】
第一光コネクタ１０の第一ハウジング１１における第一フェルール部１１１と第一フード部１１２との間には隙間が形成されており、両光コネクタが嵌合されたときには、当該隙間にスリーブ部２１３の先端側の一部が入り込むことになる。また、第二光コネクタ２０の第二ハウジング２１における第二フード部２１２とスリーブ部２１３との間には隙間が形成されており、両光コネクタが嵌合されたときには、当該隙間に第一フード部１１２の先端側の一部が入り込むことになる。なお、第一ハウジング１１と第二ハウジング２１には、両コネクタの嵌合状態を維持するためのロック機構が設けられている。当該ロック機構は、周知の構成が適用できるから説明ならびに図示を省略する。
【００２４】
このように両光コネクタが嵌合されると、第二ハウジング２１のスリーブ部２１３により、第一光コネクタ１０に設けられた両被覆部材が押される。具体的には、第二ハウジング２１のスリーブ部２１３に押されることによって、第一被覆部材１２および第二被覆部材１３が光ファイバ１０ｆ側に向かって互いに離れる方向に変位（弾性変形）する。つまり、第一光コネクタ１０に対し、第二光コネクタ２０が嵌合されるとともに、両被覆部材が第一ハウジング１１の開口１１３を開放する開放位置に変位する。開放位置に変位した両被覆部材は、第一フード部１１２とスリーブ部２１３との間に挟まれることによって開放位置に位置した状態が維持される。このように、両被覆部材は、第一光コネクタ１０に対し第二光コネクタ２０が嵌合されるまで第一ハウジング１１の開口１１３を覆い、塵などの進入を阻止する。
【００２５】
嵌合状態にある両光コネクタが引き離されると、開放位置に位置していた両被覆部材がその弾性により被覆位置に戻る。つまり、両コネクタが被嵌合状態になったときには、再び第一ハウジング１１の開口１１３を覆い、塵などの進入を阻止する。
【００２６】
本実施形態にかかる光コネクタ装置１は、嵌合状態にある両光コネクタが引き離されたとき、両被覆部材が正規の被覆位置、すなわち第一被覆部材１２の先端側の一部が第二被覆部材１３よりも光ファイバ１０ｆ側に位置した被覆位置に戻るように構成されている。具体的には以下の通り（第一実施例〜第四実施例）である。
【００２７】
図１に示す第一実施例は、第二光コネクタ２０における第一被覆部材１２に接触する部位が、第二光コネクタ２０における第二被覆部材１３に接触する部位よりも先端側に位置するというものである。本実施形態にかかる光コネクタ装置１では、両被覆部材に接触するのは第二ハウジング２１のスリーブ部２１３である。そのため、本実施例では、スリーブ部２１３における第一被覆部材１２側の部位（以下、第一部位２１４と称することもある）が、第二被覆部材１３側の部位（以下、第二部位２１５と称することもある）よりも前側に突出するように形成されている。具体的には、図１に示すように、円筒形状であるスリーブ部２１３において、第二被覆部材１３側の先端部分が一部切り欠かれたような形状（例えば、光軸Ｘの一方側である１８０度の範囲分が切り欠かれたような形状）に形成される。
【００２８】
このように構成すると、第一光コネクタ１０に対し第二光コネクタ２０を嵌合させる際（図１（ａ）、図１（ｂ）、図１（ｃ）の順に変化させる際）には、光軸Ｘ方向に沿って第二光コネクタ２０を第一光コネクタ１０に近づけていくことになるため、スリーブ部２１３はまず第一被覆部材１２に接触（第一部位２１４が第一被覆部材１２に接触）する。すなわち、第二被覆部材１３よりも先に第一被覆部材１２が押し広げられる。第一被覆部材１２が所定量変位した後に、スリーブ部２１３の切り欠かれた部分である第二部位２１５が第二被覆部材１３に接触し、当該第二被覆部材１３が押し広げられる。つまり、被覆位置では、第一被覆部材１２の先端側の一部が第二被覆部材１３よりも光ファイバ１０ｆ側に位置した状態にあるため、第一被覆部材１２の方が先に開放位置に向かって変位する。
【００２９】
嵌合状態にある両コネクタを引き離した際（図１（ｃ）、図１（ｂ）、図１（ａ）の順に変化させる際）には、第一部位２１４が第一被覆部材１２から離れるより先に、基端側にある第二部位２１５が第二被覆部材１３から離れる。つまり、第一部位２１４と第一被覆部材１２が接触した状態にあるときに、第二部位２１５と第二被覆部材１３が非接触の状態となる。そのため、第二被覆部材１３の方がその弾性力によって先に被覆位置に戻る。さらに両コネクタの間隔が広がると、第一部位２１４と第一被覆部材１２も非接触の状態となり、第一被覆部材１２がその弾性力によって被覆位置に戻る。このように、嵌合状態にある両コネクタを非嵌合状態とした際には、先に第二被覆部材１３が被覆位置に変位し、その後第一被覆部材１２が被覆位置に変位することになるから、第一被覆部材１２の先端側の一部が第二被覆部材１３よりも光ファイバ１０ｆ側に位置した状態（元の状態）に確実に戻る。したがって、一旦嵌合させた両コネクタを非嵌合状態としたときであっても、第一被覆部材１２と第二被覆部材１３との間の隙間から塵などが第一ハウジング１１内に入りにくい状態となる。
【００３０】
図２に示す第二実施例は、第一被覆部材１２および第二被覆部材１３が被覆位置に位置するとき、第一被覆部材１２における第二光コネクタ２０に接触する部位は、第二被覆部材１３の第二光コネクタ２０に接触する部位よりも先端側に位置するというものである。本実施例では、第一被覆部材１２におけるスリーブ部２１３に接触する箇所に、先端側に向かって突出する突起１２１を設けている。この突起１２１により、第一被覆部材１２における第二光コネクタ２０に接触する部位が、第二被覆部材１３の第二光コネクタ２０に接触する部位よりも先端側（第二コネクタ側）に位置することになる。
【００３１】
このように構成すると、第一光コネクタ１０に対し第二光コネクタ２０を嵌合させる際（図２（ａ）、図２（ｂ）、図２（ｃ）の順に変化させる際）には、光軸Ｘ方向に沿って第二光コネクタ２０を第一光コネクタ１０に近づけていくことになるため、スリーブ部２１３はまず第一被覆部材１２（第一被覆部材１２の突起１２１）に接触する。すなわち、第二被覆部材１３よりも先に第一被覆部材１２が押し広げられる。第一被覆部材１２が所定量変位した後に、スリーブ部２１３が第二被覆部材１３に接触し、当該第二被覆部材１３が押し広げられる。つまり、被覆位置では、第一被覆部材１２の先端側の一部が第二被覆部材１３よりも光ファイバ１０ｆ側に位置した状態にあるため、第一被覆部材１２の方が先に開放位置に向かって変位する。
【００３２】
嵌合状態にある両コネクタを引き離した際（図２（ｃ）、図２（ｂ）、図２（ａ）の順に変化させる際）には、スリーブ部２１３の第一被覆部材１２側が第一被覆部材１２の突起１２１に接触する分、第一被覆部材１２が被覆位置に戻るタイミングが第二被覆部材１３よりも遅れる。つまり、スリーブ部２１３と第一被覆部材１２が接触した状態にあるときに、スリーブ部２１３と第二被覆部材１３が非接触の状態となる。そのため、第二被覆部材１３の方がその弾性力によって先に被覆位置に戻る。さらに両コネクタの間隔が広がると、スリーブ部２１３と第一被覆部材１２（突起１２１）も非接触の状態となり、第一被覆部材１２がその弾性力によって被覆位置に戻る。このように、嵌合状態にある両コネクタを非嵌合状態とした際には、先に第二被覆部材１３が被覆位置に変位し、その後第一被覆部材１２が被覆位置に変位することになるから、第一被覆部材１２の先端側の一部が第二被覆部材１３よりも光ファイバ１０ｆ側に位置した状態（元の状態）に確実に戻る。したがって、上記第一実施例と同様に、一旦嵌合させた両コネクタを非嵌合状態としたときであっても、第一被覆部材１２と第二被覆部材１３との間の隙間から塵などが第一ハウジング１１内に入りにくい状態となる。
【００３３】
図３に示す第三実施例は、第一被覆部材１２および第二被覆部材１３が前記被覆位置に位置するとき、光軸Ｘに直交する平面に対する第一被覆部材１２の傾斜角度が、当該平面に対する第二被覆部材１３の傾斜角度よりも小さいというものである。すなわち、第二被覆部材１３よりも第一被覆部材１２の方が、よりフラットな状態にあるというものである。具体的には、傾斜角度が相対的に小さい第一被覆部材１２は、傾斜角度が相対的に大きい第二被覆部材１３よりも長く形成され、被覆位置に位置する両被覆部材が接触する箇所は、光軸Ｘよりも第二被覆部材１３側に位置する。
【００３４】
このように構成すると、第一光コネクタ１０に対し第二光コネクタ２０を嵌合させる際（図３（ａ）、図３（ｂ）、図３（ｃ）の順に変化させる際）、第二光コネクタ２０のスリーブ部２１３がその中心を光軸Ｘに略一致させて第一光コネクタ１０に近づいていくため、スリーブ部２１３はまず第一被覆部材１２に接触する。すなわち、第二被覆部材１３よりも先に第一被覆部材１２が押し広げられる。第一被覆部材１２が所定量変位した後に、スリーブ部２１３が第二被覆部材１３に接触し、当該第二被覆部材１３が押し広げられる。つまり、被覆位置に位置する第一被覆部材１２におけるスリーブ部２１３に接触する箇所が、被覆位置に位置する第二被覆部材１３におけるスリーブ部２１３に接触する箇所よりも先端側に位置するため、第一被覆部材１２の方が先に開放位置に向かって変位する。
【００３５】
嵌合状態にある両コネクタを引き離した際（図３（ｃ）、図３（ｂ）、図３（ａ）の順に変化させる際）には、被覆位置に位置する第一被覆部材１２におけるスリーブ部２１３に接触する箇所が、被覆位置に位置する第二被覆部材１３におけるスリーブ部２１３に接触する箇所よりも先端側に位置するため、先に第二被覆部材１３が被覆位置に戻る。このように、嵌合状態にある両コネクタを非嵌合状態とした際には、先に第二被覆部材１３が被覆位置に変位し、その後第一被覆部材１２が被覆位置に変位することになるから、第一被覆部材１２の先端側の一部が第二被覆部材１３よりも光ファイバ１０ｆ側に位置した状態（元の状態）に確実に戻る。したがって、上記第一実施例と同様に、一旦嵌合させた両コネクタを非嵌合状態としたときであっても、第一被覆部材１２と第二被覆部材１３との間の隙間から塵などが第一ハウジング１１内に入りにくい状態となる。
【００３６】
図４に示す第四実施例は、第二光コネクタ２０における第二被覆部材１３に接触する部位が、幅方向内側から幅方向外側にかけて基端側に向かうように傾斜した形状であるというものである。つまり、スリーブ部２１３における第一被覆部材１２側の先端は光軸Ｘ方向に対し直交する面であるのに対し、第二被覆部材１３側の先端は幅方向内側（光軸Ｘ側）から外側に向かってだんだんと突出量が小さくなるように傾斜した傾斜面２１３ｓが形成されている。なお、本実施例では、スリーブ部２１３における第二被覆部材１３側の先端における最も突出した部分は、第一被覆部材１２側の先端面と光軸Ｘ方向における位置は同じである。
【００３７】
このように構成すると、第一光コネクタ１０に対し第二光コネクタ２０を嵌合させる際（図４（ａ）、図４（ｂ）、図４（ｃ）の順に変化させる際）には、スリーブ部２１３は両被覆部材に接触するものの、スリーブ部２１３の第二被覆部材１３側に傾斜面２１３ｓが形成されているため、第二被覆部材１３はその傾斜面２１３ｓにならうように開放位置に向かって変位していく。つまり、当該傾斜面２１３ｓを設けた分、開放位置に向かって変位する速度（タイミング）が第一被覆部材１２よりも第二被覆部材１３の方が遅くなる。したがって、第一被覆部材１２が先に被覆位置に変位し、その後第二被覆部材１３が変位することになる。
【００３８】
嵌合状態にある両コネクタを引き離した際（図４（ｃ）、図４（ｂ）、図４（ａ）の順に変化させる際）には、第二被覆部材１３がスリーブ部２１３の傾斜面２１３ｓにならって変位していくため、第一被覆部材１２よりも第二被覆部材１３の方が先に被覆位置に戻る。このように、嵌合状態にある両コネクタを非嵌合状態とした際には、先に第二被覆部材１３が被覆位置に変位し、その後第一被覆部材１２が被覆位置に変位することになるから、第一被覆部材１２の先端側の一部が第二被覆部材１３よりも光ファイバ１０ｆ側に位置した状態（元の状態）に確実に戻る。したがって、上記第一実施例および第二実施例と同様に、一旦嵌合させた両コネクタを非嵌合状態としたときであっても、第一被覆部材１２と第二被覆部材１３との間の隙間から塵などが第一ハウジング１１内に入りにくい状態となる。
【００３９】
以上説明した第一実施例〜第四実施例における第一被覆部材１２および第二被覆部材１３は、開放位置に位置するときに第二光コネクタ２０（スリーブ部２１３）に接触する部位が曲面形状１２ｃ、１３ｃであるとよい。例えば、図５に示すように、第一被覆部材１２および第二被覆部材１３の先端が内側（被覆位置に位置するときにおける光ファイバ１０ｆ側）に湾曲したような形状とすることで、当該曲面形状１２ｃ、１３ｃを形成すればよい。
【００４０】
このようにすれば、嵌合状態にある両コネクタを引き離した際、第二光コネクタ２０（スリーブ部２１３の外周面）に各被覆部材が引っ掛かってしまうことが防止される。
【００４１】
以上、本発明の実施形態について詳細に説明したが、本発明は上記実施形態に何ら限定されるものではなく、本発明の要旨を逸脱しない範囲で種々の改変が可能である。
【００４２】
例えば、上記実施形態にかかる光コネクタ装置１では、第一フード部１１２における幅方向の一方側からは第一被覆部材１２が幅方向内側かつ光ファイバ１０ｆ側（第一ハウジング１１の内側）に向かって突出し、他方側からは第二被覆部材１３が幅方向内側かつ光ファイバ１０ｆ側（第一ハウジング１１の内側）に向かって突出した構成であることを説明したが、必ずしも光ファイバ１０ｆ側に向かって突出した構成でなくてもよい。図６に示すように、第一ハウジング１１の開口１１３に沿って（光軸Ｘに直交する平面に沿って）幅方向内側に向かって突出し、第一被覆部材１２の先端側の一部と第二被覆部材１３の先端側の一部が重なる構成であってもよい。つまり、被覆位置における両被覆部材の位置が、図６に示した位置よりも光ファイバ１０ｆ側に位置した構成であればよい。
【符号の説明】
【００４３】
１  光コネクタ装置
１０  第一光コネクタ
１１  第一ハウジング
１１３  開口
１２  第一被覆部材
１３  第二被覆部材
１０ｆ  光ファイバ
２０  第二光コネクタ
２１  第二ハウジング
２１３  スリーブ部
２０ｆ  光ファイバ
２１４  第一部位
２１５  第二部位
１２１  突起
２１３ｓ  傾斜面
Ｘ  光軸
【図１】
2015011084.tif 000003
【図２】
2015011084.tif 000004
【図３】
2015011084.tif 000005
【図４】
2015011084.tif 000006
【図５】
2015011084.tif 000007
【図６】
2015011084.tif 000008